(57)【要約】【課題】宿泊予約を申し込む利用者の簡易な操作によって、宿泊施設（例えばホテル）、宿泊人数および部屋数を指定した予約の手続きを行う宿泊予約代行システムを提供することを課題とする。【解決手段】宿泊する施設と人数と部屋数を含むローカル部と宿泊予約代行サーバを識別するドメインからなる送信者アドレスを設定した返信用メールを利用者に送信し（ロ）、その返信である宿泊申込メールにより（ハ）、人数と部屋数に基づいて、宿泊施設の予約あるいは仮予約を行う（ホ）。仮予約受付メールへの返信である仮予約取消メールにより（へ）、仮予約を取り消す（ト）。所定の取消受付時間内に仮予約の取消がない場合に、仮予約を予約として確定させる（チ）。【選択図】図１５
2011053756.tif 000002
【特許請求の範囲】
【請求項１】
宿泊申込者携帯端末と接続可能であって、以下の要素を有することを特徴とする宿泊予約代行サーバ
（１）利用者毎に利用者が予め選定した複数の選定宿泊施設を記憶する利用者情報テーブル
（２）宛先アドレスに、利用者のメールアドレスを設定し、送信者アドレスに、利用者の識別情報と当該利用者が選定した選定宿泊施設の識別情報と宿泊する人数と部屋数を含むローカル部と宿泊予約代行サーバを識別するドメインからなるアドレスを設定した返信用メールを生成する返信用メール生成部
（３）生成した返信用メールを送信する返信用メール送信部。
【請求項２】
更に、
（４）宿泊申込者携帯端末から、返信用メールに対する返信である宿泊申込メールを受信する宿泊申込メール受信部と、
（５）受信した宿泊申込メールに設定されている宛先アドレスのローカル部を読み取り、ローカル部から利用者を特定する利用者特定部と、
（６）受信した宿泊申込メールに設定されている宛先アドレスのローカル部を読み取り、ローカル部から選定宿泊施設を特定する宿泊施設特定部と、
（７）受信した宿泊申込メールに設定されている宛先アドレスのローカル部を読み取り、ローカル部から宿泊する人数と部屋数を特定する人数・部屋数特定部と、
（８）前記利用者情報テーブルから、特定された選定宿泊施設の予約を管理する予約管理システムに対して、人数と部屋数を指定して宿泊を予約する宿泊施設予約部を有することを特徴とする請求項１に記載の宿泊予約代行サーバ。
【請求項３】
更に、
（９）宿泊施設毎に、宿泊施設の情報を記憶する宿泊施設テーブルと、
（１０）前記宿泊施設予約部で予約した選定宿泊施設に対応する宿泊施設の情報を宿泊施設テーブルから取得し、取得した宿泊施設の情報を本文に設定し、宛先アドレスに、利用者のメールアドレスを設定した予約完了メールを生成する予約完了メール生成部と、
（１１）生成した予約完了メールを送信する予約完了メール送信部を有することを特徴とする請求項２に記載の宿泊予約代行サーバ。
【請求項４】
更に、
（４）宿泊申込者携帯端末から、返信用メールに対する返信である宿泊申込メールを受信する宿泊申込メール受信部と、
（５）受信した宿泊申込メールに設定されている宛先アドレスのローカル部を読み取り、ローカル部から利用者を特定する利用者特定部と、
（６）受信した宿泊申込メールに設定されている宛先アドレスのローカル部を読み取り、ローカル部から選定宿泊施設を特定する宿泊施設特定部と、
（７）受信した宿泊申込メールに設定されている宛先アドレスのローカル部を読み取り、ローカル部から宿泊する人数と部屋数を特定する人数・部屋数特定部と、
（８）前記利用者情報テーブルから、特定された選定宿泊施設の予約を管理する予約管理システムに対して、人数と部屋数を指定して宿泊を仮予約する仮予約登録部を有することを特徴とする請求項１に記載の宿泊予約代行サーバ。
【請求項５】
更に、
（９）宿泊施設毎に、宿泊施設の情報を記憶する宿泊施設テーブルと、
（１０）前記宿泊施設予約部で予約した選定宿泊施設に対応する宿泊施設の情報を宿泊施設テーブルから取得し、取得した宿泊施設の情報を本文に設定し、宛先アドレスに、利用者のメールアドレスを設定した仮予約受付メールを生成する仮予約受付メール生成部と、
（１１）生成した仮予約受付メールを送信する仮予約受付メール送信部を有することを特徴とする請求項４に記載の宿泊予約代行サーバ。
【請求項６】
前記仮予約受付メール生成部は、仮予約受付メールの送信者アドレスに、前記仮予約を識別する情報を含むローカル部と宿泊予約代行サーバを識別するドメインからなるアドレスを設定し、
宿泊予約代行サーバは、更に、
（１２）宿泊申込者携帯端末から、仮予約受付メールに対する返信である仮予約取消メールを受信する仮予約取消メール受信部と、
（１３）受信した宿泊申込メールに設定されている宛先アドレスのローカル部を読み取り、ローカル部から仮予約識別情報を特定する仮予約特定部と、
（１４）前記予約管理システムに対して、仮予約識別情報により特定される仮予約を取り消す取消要求部を有することを特徴とする請求項５に記載の宿泊予約代行サーバ。
【請求項７】
更に、
（１５）宛先アドレスに、前記利用者のメールアドレスを設定した、仮予約の取消が完了した旨を通知する取消完了メールを生成する取消完了メール生成部と、
（１６）生成した取消完了メールを送信する取消完了メール送信部を有することを特徴とする請求項６に記載の宿泊予約代行サーバ。
【請求項８】
前記仮予約登録部は、仮予約した仮予約受付時刻を特定し、
宿泊予約代行サーバは、更に、
（１７）仮予約受付時刻から所定の取消受付時間を経過した仮予約を特定する仮予約取消期限判定部と、
（１８）前記予約管理システムに対して、取消受付時間を経過した仮予約を予約として確定させる確定要求部を有することを特徴とする請求項５乃至７のいずれかに記載の宿泊予約代行サーバ。
【請求項９】
宿泊予約代行サーバは、更に、
（１９）宛先アドレスに、前記利用者のメールアドレスを設定した、予約が確定した旨を通知する予約確定メールを生成する予約確定メール生成部と、
（２０）生成した予約確定メールを送信する予約確定メール送信部を有することを特徴とする請求項８に記載の宿泊予約代行サーバ。
【請求項１０】
前記利用者情報テーブルは、更に、利用者毎に利用者メールアドレスを記憶し、
前記利用者特定部は、更に、前記利用者情報テーブルから、特定した利用者の利用者メールアドレスを取得し、受信した宿泊申込メールに設定されている送信者アドレスが、取得した利用者メールアドレスと一致しない場合に、宿泊申込メールを不正と判断することを特徴とする請求項２乃至９のいずれかに記載の宿泊予約代行サーバ。
【請求項１１】
前記返信用メール生成部は、更に、返信用メールの件名に、選定宿泊施設の宿泊施設名を含め、
前記宿泊施設特定部は、受信した宿泊申込メールの件名から選定宿泊施設を特定し、宛先アドレスのローカル部から特定した選定宿泊施設と、件名から特定した選定宿泊施設が一致しない場合に、宿泊申込メールを不正と判断することを特徴とする請求項２乃至１０のいずれかに記載の宿泊予約代行サーバ。
【請求項１２】
前記返信用メール生成部は、更に、返信用メールの件名に、宿泊する人数と部屋数を含め、
前記人数・部屋数特定部は、受信した宿泊申込メールの件名から人数と部屋数を特定し、宛先アドレスのローカル部から特定した人数と部屋数と、件名から特定した人数と部屋数が一致しない場合に、宿泊申込メールを不正と判断することを特徴とする請求項２乃至１１のいずれかに記載の宿泊予約代行サーバ。
【請求項１３】
宿泊申込者携帯端末と接続可能であって、利用者毎に利用者が予め選定した複数の選定宿泊施設を記憶する利用者情報テーブルを有する宿泊予約代行サーバによる宿泊予約代行であって、以下の要素を有することを特徴とする宿泊予約代行方法
（１）宛先アドレスに、利用者のメールアドレスを設定し、送信者アドレスに、利用者の識別情報と当該利用者が選定した選定宿泊施設の識別情報と宿泊する人数と部屋数を含むローカル部と宿泊予約代行サーバを識別するドメインからなるアドレスを設定した返信用メールを生成する返信用メール生成工程
（２）生成した返信用メールを送信する返信用メール送信工程。
【請求項１４】
更に、
（３）宿泊申込者携帯端末から、返信用メールに対する返信である宿泊申込メールを受信する宿泊申込メール受信工程と、
（４）受信した宿泊申込メールに設定されている宛先アドレスのローカル部を読み取り、ローカル部から利用者を特定する利用者特定工程と、
（５）受信した宿泊申込メールに設定されている宛先アドレスのローカル部を読み取り、ローカル部から選定宿泊施設を特定する宿泊施設特定工程と、
（６）受信した宿泊申込メールに設定されている宛先アドレスのローカル部を読み取り、ローカル部から宿泊する人数と部屋数を特定する人数・部屋数特定工程と、
（７）前記利用者情報テーブルから、特定された選定宿泊施設の予約を管理する予約管理システムに対して、人数と部屋数を指定して宿泊を予約する宿泊施設予約工程を有することを特徴とする請求項１３に記載の宿泊予約代行方法。
【請求項１５】
更に
（３）宿泊申込者携帯端末から、返信用メールに対する返信である宿泊申込メールを受信する宿泊申込メール受信工程と、
（４）受信した宿泊申込メールに設定されている宛先アドレスのローカル部を読み取り、ローカル部から利用者を特定する利用者特定工程と、
（５）受信した宿泊申込メールに設定されている宛先アドレスのローカル部を読み取り、ローカル部から選定宿泊施設を特定する宿泊施設特定工程と、
（６）受信した宿泊申込メールに設定されている宛先アドレスのローカル部を読み取り、ローカル部から宿泊する人数と部屋数を特定する人数・部屋数特定工程と、
（７）前記利用者情報テーブルから、特定された選定宿泊施設の予約を管理する予約管理システムに対して、人数と部屋数を指定して宿泊を仮予約する仮予約登録工程を有することを特徴とする請求項１３に記載の宿泊予約代行方法。
【請求項１６】
宿泊申込者携帯端末と接続可能であって、利用者毎に利用者が予め選定した複数の選定宿泊施設を記憶する利用者情報テーブルを有する宿泊予約代行サーバとなるコンピュータに、以下の手順を実行させるためのプログラム
（１）宛先アドレスに、利用者のメールアドレスを設定し、送信者アドレスに、利用者の識別情報と当該利用者が選定した選定宿泊施設の識別情報と宿泊する人数と部屋数を含むローカル部と宿泊予約代行サーバを識別するドメインからなるアドレスを設定した返信用メールを生成する返信用メール生成手順
（２）生成した返信用メールを送信する返信用メール送信手順。
【請求項１７】
プログラムは、宿泊予約代行サーバとなるコンピュータに  更に、
（３）宿泊申込者携帯端末から、返信用メールに対する返信である宿泊申込メールを受信する宿泊申込メール受信手順と、
（４）受信した宿泊申込メールに設定されている宛先アドレスのローカル部を読み取り、ローカル部から利用者を特定する利用者特定手順と、
（５）受信した宿泊申込メールに設定されている宛先アドレスのローカル部を読み取り、ローカル部から選定宿泊施設を特定する宿泊施設特定手順と、
（６）受信した宿泊申込メールに設定されている宛先アドレスのローカル部を読み取り、ローカル部から宿泊する人数と部屋数を特定する人数・部屋数特定手順と、
（７）前記利用者情報テーブルから、特定された選定宿泊施設の予約を管理する予約管理システムに対して、人数と部屋数を指定して宿泊を予約する宿泊施設予約手順を実行させることを特徴とする請求項１６に記載のプログラム。
【請求項１８】
プログラムは、宿泊予約代行サーバとなるコンピュータに  更に、
（３）宿泊申込者携帯端末から、返信用メールに対する返信である宿泊申込メールを受信する宿泊申込メール受信手順と、
（４）受信した宿泊申込メールに設定されている宛先アドレスのローカル部を読み取り、ローカル部から利用者を特定する利用者特定手順と、
（５）受信した宿泊申込メールに設定されている宛先アドレスのローカル部を読み取り、ローカル部から選定宿泊施設を特定する宿泊施設特定手順と、
（６）受信した宿泊申込メールに設定されている宛先アドレスのローカル部を読み取り、ローカル部から宿泊する人数と部屋数を特定する人数・部屋数特定手順と、
（７）前記利用者情報テーブルから、特定された選定宿泊施設の予約を管理する予約管理システムに対して、人数と部屋数を指定して宿泊を仮予約する仮予約登録手順を実行させることを特徴とする請求項１６に記載のプログラム。
【発明の詳細な説明】
【技術分野】
【０００１】
本発明は、宿泊予約を申し込む利用者の簡易な操作によって、宿泊施設に対する予約の手続きを行う宿泊予約代行システムに関するものである。
【背景技術】
【０００２】
特許文献１（「ホテル予約システム」）には、位置認識機能を有する携帯電話からホテルの宿泊を予約するシステムにおいて、予約を受付ける受付窓口が携帯電話から送信された位置情報を認識し、受付窓口で認識された携帯電話の位置から最も近いホテルを推薦する技術が開示されている。
【０００３】
しかし、従来技術によりホテルを決める場合であっても、宿泊する人数や希望する部屋数を伝える手間を省くことはできない。また、推薦されたホテルの設備や料金が、好みの条件を満たすものであるとは限らない。
【０００４】
また例えば、会議中のように周囲への配慮が必要な状況下であっても、周囲に悟られることなく予約手続きを完了させる要望があるが、ホテル等の宿泊施設の予約手続には、人数を特定したり、部屋数を特定したりすることが必要である。
【先行技術文献】
【特許文献】
【０００５】
【特許文献１】特開２００２−１７５４５７号公報
【発明の概要】
【発明が解決しようとする課題】
【０００６】
本願発明では、簡単な操作で、宿泊施設を指定して、宿泊人数および部屋数を特定した宿泊施設の予約を完了させることを課題とする。
【課題を解決するための手段】
【０００７】
本願発明に係る宿泊予約代行サーバは、
宿泊申込者携帯端末と接続可能であって、以下の要素を有することを特徴とする
（１）利用者毎に利用者が予め選定した複数の選定宿泊施設を記憶する利用者情報テーブル
（２）宛先アドレスに、利用者のメールアドレスを設定し、送信者アドレスに、利用者の識別情報と当該利用者が選定した選定宿泊施設の識別情報と宿泊する人数と部屋数を含むローカル部と宿泊予約代行サーバを識別するドメインからなるアドレスを設定した返信用メールを生成する返信用メール生成部
（３）生成した返信用メールを送信する返信用メール送信部。
【０００８】
更に、
（４）宿泊申込者携帯端末から、返信用メールに対する返信である宿泊申込メールを受信する宿泊申込メール受信部と、
（５）受信した宿泊申込メールに設定されている宛先アドレスのローカル部を読み取り、ローカル部から利用者を特定する利用者特定部と、
（６）受信した宿泊申込メールに設定されている宛先アドレスのローカル部を読み取り、ローカル部から選定宿泊施設を特定する宿泊施設特定部と、
（７）受信した宿泊申込メールに設定されている宛先アドレスのローカル部を読み取り、ローカル部から宿泊する人数と部屋数を特定する人数・部屋数特定部と、
（８）前記利用者情報テーブルから、特定された選定宿泊施設の予約を管理する予約管理システムに対して、人数と部屋数を指定して宿泊を予約する宿泊施設予約部を有することを特徴とする。
【０００９】
更に、
（９）宿泊施設毎に、宿泊施設の情報を記憶する宿泊施設テーブルと、
（１０）前記宿泊施設予約部で予約した選定宿泊施設に対応する宿泊施設の情報を宿泊施設テーブルから取得し、取得した宿泊施設の情報を本文に設定し、宛先アドレスに、利用者のメールアドレスを設定した予約完了メールを生成する予約完了メール生成部と、
（１１）生成した予約完了メールを送信する予約完了メール送信部を有することを特徴とする。
【００１０】
更に、
（４）宿泊申込者携帯端末から、返信用メールに対する返信である宿泊申込メールを受信する宿泊申込メール受信部と、
（５）受信した宿泊申込メールに設定されている宛先アドレスのローカル部を読み取り、ローカル部から利用者を特定する利用者特定部と、
（６）受信した宿泊申込メールに設定されている宛先アドレスのローカル部を読み取り、ローカル部から選定宿泊施設を特定する宿泊施設特定部と、
（７）受信した宿泊申込メールに設定されている宛先アドレスのローカル部を読み取り、ローカル部から宿泊する人数と部屋数を特定する人数・部屋数特定部と、
（８）前記利用者情報テーブルから、特定された選定宿泊施設の予約を管理する予約管理システムに対して、人数と部屋数を指定して宿泊を仮予約する仮予約登録部を有することを特徴とする。
【００１１】
更に、
（９）宿泊施設毎に、宿泊施設の情報を記憶する宿泊施設テーブルと、
（１０）前記宿泊施設予約部で予約した選定宿泊施設に対応する宿泊施設の情報を宿泊施設テーブルから取得し、取得した宿泊施設の情報を本文に設定し、宛先アドレスに、利用者のメールアドレスを設定した仮予約受付メールを生成する仮予約受付メール生成部と、
（１１）生成した仮予約受付メールを送信する仮予約受付メール送信部を有することを特徴とする。
【００１２】
前記仮予約受付メール生成部は、仮予約受付メールの送信者アドレスに、前記仮予約を識別する情報を含むローカル部と宿泊予約代行サーバを識別するドメインからなるアドレスを設定し、
宿泊予約代行サーバは、更に、
（１２）宿泊申込者携帯端末から、仮予約受付メールに対する返信である仮予約取消メールを受信する仮予約取消メール受信部と、
（１３）受信した宿泊申込メールに設定されている宛先アドレスのローカル部を読み取り、ローカル部から仮予約識別情報を特定する仮予約特定部と、
（１４）前記予約管理システムに対して、仮予約識別情報により特定される仮予約を取り消す取消要求部を有することを特徴とする。
【００１３】
更に、
（１５）宛先アドレスに、前記利用者のメールアドレスを設定した、仮予約の取消が完了した旨を通知する取消完了メールを生成する取消完了メール生成部と、
（１６）生成した取消完了メールを送信する取消完了メール送信部を有することを特徴とする。
【００１４】
前記仮予約登録部は、仮予約した仮予約受付時刻を特定し、
宿泊予約代行サーバは、更に、
（１７）仮予約受付時刻から所定の取消受付時間を経過した仮予約を特定する仮予約取消期限判定部と、
（１８）前記予約管理システムに対して、取消受付時間を経過した仮予約を予約として確定させる確定要求部を有することを特徴とする。
【００１５】
宿泊予約代行サーバは、更に、
（１９）宛先アドレスに、前記利用者のメールアドレスを設定した、予約が確定した旨を通知する予約確定メールを生成する予約確定メール生成部と、
（２０）生成した予約確定メールを送信する予約確定メール送信部を有することを特徴とする。
【００１６】
前記利用者情報テーブルは、更に、利用者毎に利用者メールアドレスを記憶し、
前記利用者特定部は、更に、前記利用者情報テーブルから、特定した利用者の利用者メールアドレスを取得し、受信した宿泊申込メールに設定されている送信者アドレスが、取得した利用者メールアドレスと一致しない場合に、宿泊申込メールを不正と判断することを特徴とする。
【００１７】
前記返信用メール生成部は、更に、返信用メールの件名に、選定宿泊施設の宿泊施設名を含め、
前記宿泊施設特定部は、受信した宿泊申込メールの件名から選定宿泊施設を特定し、宛先アドレスのローカル部から特定した選定宿泊施設と、件名から特定した選定宿泊施設が一致しない場合に、宿泊申込メールを不正と判断することを特徴とする。
【００１８】
前記返信用メール生成部は、更に、返信用メールの件名に、宿泊する人数と部屋数を含め、
前記人数・部屋数特定部は、受信した宿泊申込メールの件名から人数と部屋数を特定し、宛先アドレスのローカル部から特定した人数と部屋数と、件名から特定した人数と部屋数が一致しない場合に、宿泊申込メールを不正と判断することを特徴とする。
【００１９】
本願発明に係る宿泊予約代行方法は、
宿泊申込者携帯端末と接続可能であって、利用者毎に利用者が予め選定した複数の選定宿泊施設を記憶する利用者情報テーブルを有する宿泊予約代行サーバによる宿泊予約代行であって、以下の要素を有することを特徴とする
（１）宛先アドレスに、利用者のメールアドレスを設定し、送信者アドレスに、利用者の識別情報と当該利用者が選定した選定宿泊施設の識別情報と宿泊する人数と部屋数を含むローカル部と宿泊予約代行サーバを識別するドメインからなるアドレスを設定した返信用メールを生成する返信用メール生成工程
（２）生成した返信用メールを送信する返信用メール送信工程。
【００２０】
更に、
（３）宿泊申込者携帯端末から、返信用メールに対する返信である宿泊申込メールを受信する宿泊申込メール受信工程と、
（４）受信した宿泊申込メールに設定されている宛先アドレスのローカル部を読み取り、ローカル部から利用者を特定する利用者特定工程と、
（５）受信した宿泊申込メールに設定されている宛先アドレスのローカル部を読み取り、ローカル部から選定宿泊施設を特定する宿泊施設特定工程と、
（６）受信した宿泊申込メールに設定されている宛先アドレスのローカル部を読み取り、ローカル部から宿泊する人数と部屋数を特定する人数・部屋数特定工程と、
（７）前記利用者情報テーブルから、特定された選定宿泊施設の予約を管理する予約管理システムに対して、人数と部屋数を指定して宿泊を予約する宿泊施設予約工程を有することを特徴とする。
【００２１】
更に
（３）宿泊申込者携帯端末から、返信用メールに対する返信である宿泊申込メールを受信する宿泊申込メール受信工程と、
（４）受信した宿泊申込メールに設定されている宛先アドレスのローカル部を読み取り、ローカル部から利用者を特定する利用者特定工程と、
（５）受信した宿泊申込メールに設定されている宛先アドレスのローカル部を読み取り、ローカル部から選定宿泊施設を特定する宿泊施設特定工程と、
（６）受信した宿泊申込メールに設定されている宛先アドレスのローカル部を読み取り、ローカル部から宿泊する人数と部屋数を特定する人数・部屋数特定工程と、
（７）前記利用者情報テーブルから、特定された選定宿泊施設の予約を管理する予約管理システムに対して、人数と部屋数を指定して宿泊を仮予約する仮予約登録工程を有することを特徴とする。
【００２２】
本願発明に係るプログラムは、
宿泊申込者携帯端末と接続可能であって、利用者毎に利用者が予め選定した複数の選定宿泊施設を記憶する利用者情報テーブルを有する宿泊予約代行サーバとなるコンピュータに、以下の手順を実行させることを特徴とする
（１）宛先アドレスに、利用者のメールアドレスを設定し、送信者アドレスに、利用者の識別情報と当該利用者が選定した選定宿泊施設の識別情報と宿泊する人数と部屋数を含むローカル部と宿泊予約代行サーバを識別するドメインからなるアドレスを設定した返信用メールを生成する返信用メール生成手順
（２）生成した返信用メールを送信する返信用メール送信手順。
【００２３】
プログラムは、宿泊予約代行サーバとなるコンピュータに  更に、
（３）宿泊申込者携帯端末から、返信用メールに対する返信である宿泊申込メールを受信する宿泊申込メール受信手順と、
（４）受信した宿泊申込メールに設定されている宛先アドレスのローカル部を読み取り、ローカル部から利用者を特定する利用者特定手順と、
（５）受信した宿泊申込メールに設定されている宛先アドレスのローカル部を読み取り、ローカル部から選定宿泊施設を特定する宿泊施設特定手順と、
（６）受信した宿泊申込メールに設定されている宛先アドレスのローカル部を読み取り、ローカル部から宿泊する人数と部屋数を特定する人数・部屋数特定手順と、
（７）前記利用者情報テーブルから、特定された選定宿泊施設の予約を管理する予約管理システムに対して、人数と部屋数を指定して宿泊を予約する宿泊施設予約手順を実行させることを特徴とする。
【００２４】
プログラムは、宿泊予約代行サーバとなるコンピュータに  更に、
（３）宿泊申込者携帯端末から、返信用メールに対する返信である宿泊申込メールを受信する宿泊申込メール受信手順と、
（４）受信した宿泊申込メールに設定されている宛先アドレスのローカル部を読み取り、ローカル部から利用者を特定する利用者特定手順と、
（５）受信した宿泊申込メールに設定されている宛先アドレスのローカル部を読み取り、ローカル部から選定宿泊施設を特定する宿泊施設特定手順と、
（６）受信した宿泊申込メールに設定されている宛先アドレスのローカル部を読み取り、ローカル部から宿泊する人数と部屋数を特定する人数・部屋数特定手順と、
（７）前記利用者情報テーブルから、特定された選定宿泊施設の予約を管理する予約管理システムに対して、人数と部屋数を指定して宿泊を仮予約する仮予約登録手順を実行させることを特徴とする。
【発明の効果】
【００２５】
宿泊施設と宿泊する人数と部屋数を含むローカル部と宿泊予約代行サーバを識別するドメインからなる送信者アドレスを設定した返信用メールを利用者に送信し、その返信により、人数と部屋数に基づいて、当該宿泊施設の予約あるいは仮予約を行うので、利用者はメールの返信操作のみで、宿泊施設と人数と部屋数を指定した宿泊施設の予約を申し込むことができる。
【００２６】
また、予約が完了すると予約完了メールを送信するので、利用者は受信したメールの閲覧操作のみで予約内容を確認することができる。
【００２７】
また、仮予約を受け付けると仮予約受付メールを送信するので、利用者は受信したメールの閲覧操作のみで仮予約の内容を確認することができる。
【００２８】
また、仮予約受付メールへの返信メールにより、仮予約を取り消すので、利用者は返信操作のみで、仮予約を取り消すことができる。
【００２９】
また、所定の取消受付時間内に仮予約の取消がない場合に、仮予約を予約として確定させるので、利用者は予約内容を閲覧した後、放置するだけで、仮予約の確認の意思を示すことができる。
【図面の簡単な説明】
【００３０】
【図１】図１は宿泊予約代行システムのネットワーク概要を示す図である。
【図２】図２は宿泊予約代行サーバによる利用者登録の処理フローを示す図である。
【図３】図３は利用者登録に係る宿泊予約代行サーバの構成を示す図である。
【図４】図４は利用者情報テーブルの例を示す図である。
【図５】図５は宿泊施設テーブルの例を示す図である。
【図６】図６は返信用メールの例を示す図である。
【図７】図７は宿泊予約代行サーバによる返信用メール配信の処理フローを示す図である。
【図８】図８は返信用メール配信に係る宿泊予約代行サーバの構成を示す図である。
【図９】図９は配信対象抽出処理フローを示す図である。
【図１０】図１０は返信用メール生成処理フローを示す図である。
【図１１】図１１は宿泊申込メールの例を示す図である。
【図１２】図１２は宿泊予約代行サーバによる宿泊施設手配の処理フローを示す図である。
【図１３】図１３は宿泊施設手配に係る宿泊予約代行サーバの構成を示す図である。
【図１４】図１４は予約完了メールの例を示す図である。
【図１５】図１５は実施例２における動作概要を示す図である。
【図１６】図１６は宿泊予約代行サーバによる宿泊施設仮予約の処理フローを示す図である。
【図１７】図１７は宿泊施設仮予約に係る宿泊予約代行サーバの構成を示す図である。
【図１８】図１８は仮予約テーブルの例を示す図である。
【図１９】図１９は仮予約受付メールの例を示す図である。
【図２０】図２０は仮予約取消メールの例を示す図である。
【図２１】図２１は宿泊予約代行サーバによる仮予約取消の処理フローを示す図である。
【図２２】図２２は仮予約取消に係る宿泊予約代行サーバの構成を示す図である。
【図２３】図２３は取消完了メールの例を示す図である。
【図２４】図２４は宿泊予約代行サーバによる予約確定の処理フローを示す図である。
【図２５】図２５は予約確定に係る宿泊予約代行サーバの構成を示す図である。
【図２６】図２６は予約確定メールの例を示す図である。
【発明を実施するための形態】
【００３１】
本願発明に係る宿泊予約代行システムでは、利用者の事前登録に基づいて、宿泊予約の申込を受け付け、宿泊予約を代行する。利用者は、定期的に送信されてくる返信用メールに対して返信することにより、予め選定してある宿泊施設に対して、宿泊人数および部屋数を特定した当日の宿泊予約の申込が行える。返信用メールは、宿泊人数および部屋数を特定するように構成されている。
【００３２】
例えば、ビジネスマンが日帰りの予定で出掛けた出張先での商用（商談、会議、或いは接待など）が長引き、宿泊せざるを得なくなった場合に、当該商用中に簡単な操作で宿泊施設の予約を確保できる点で有用である。
【実施例１】
【００３３】
図１は宿泊予約代行システムのネットワーク概要を示す図である。宿泊予約代行サーバ１０１は、インターネットと携帯電話網を介して宿泊申込者携帯端末１０２と接続できるように構成されている。宿泊予約代行サーバ１０１と宿泊申込者携帯端末１０２は、メールを送受信する機能を備えている。また、宿泊申込者携帯端末１０２はメーラーとブラウザを備えている。
【００３４】
宿泊予約代行システムは、以下の手順で宿泊予約代行のサービスを提供する。
（イ）まず、事前に利用者登録の手順で、宿泊申込者携帯端末１０２から宿泊予約代行サーバ１０１へ利用者の情報を登録する。利用者情報には、利用者が選定した複数の宿泊施設を特定する情報が含まれる。
（ロ）そして、宿泊予約代行サーバ１０１の返信用メール配信の手順で、登録された利用者の宿泊申込者携帯端末１０２に対して定期的に返信用メールを配信する。返信用メールは、選定宿泊施設別に、一人一部屋、二人一部屋、二人二部屋、三人一部屋、三人二部屋、三人三部屋のように、宿泊施設と人数と部屋数の条件を特定するものが複数送られる。
（ハ）利用者が宿泊予約を申し込む場合には、宿泊申込者携帯端末１０２による宿泊申込メール発信の手順で、配信されている複数の返信用メールのうち、希望の宿泊施設と人数と部屋数を特定する返信用メールに対して返信するメールを生成し、発信する。この返信メールが、宿泊の予約を申込む宿泊申込メールとなる。
（ニ）宿泊予約代行サーバ１０１は宿泊申込メールを受信すると、宿泊施設手配と予約完了メール返信の手順で、宿泊申込メールより、利用者と、希望の宿泊施設と人数と部屋数を特定し、希望の宿泊施設への希望の人数と部屋数による宿泊を予約し、予約した結果を予約完了メールとして宿泊申込者携帯端末１０２に返信する。
【００３５】
以下、（イ）〜（ニ）の各手順について説明する。まず、（イ）利用者登録の手順について、図２〜図５を用いて説明する。
【００３６】
図２は宿泊予約代行サーバによる利用者登録の処理フローを示す図である。宿泊予約代行サーバ１０１は、利用者情報受付処理（Ｓ２０１）で、宿泊申込者携帯端末１０２から利用者の情報を受け付け、利用者情報登録処理（Ｓ２０２）で、受信した利用者情報を内部に登録する。更に、宿泊施設選定処理（Ｓ２０３）で、本宿泊予約代行サービスで、利用する宿泊施設を複数選択する。
【００３７】
図３は利用者登録に係る宿泊予約代行サーバの構成を示す図である。利用者情報受付部３０１は、図２の利用者情報受付処理（Ｓ２０１）を行う。具体的には、宿泊申込者携帯端末１０２よりアクセスを受けると、利用者情報の入力を促す利用者情報受付画面を宿泊申込者携帯端末１０２に返信し、宿泊申込者携帯端末１０２のブラウザに表示された利用者情報受付画面に入力された利用者情報を受信する。利用者情報には、利用者氏名、住所、携帯電話番号、メールアドレス、利用者コード、及びメール配信条件が含まれる。利用者コードは、利用者を特定する情報の例である。
【００３８】
図３の利用者情報登録部３０２、は、図２の利用者情報登録処理（Ｓ２０２）を行う。具体的には、利用者ＩＤを割り当て、利用者情報受付部３０１で受信した利用者情報を利用者情報テーブル３０３の新たなレコードに記憶させる。
【００３９】
図４は利用者情報テーブルの例を示す図である。利用者毎のレコードを設け、利用者ＩＤ、利用者氏名、住所、携帯電話番号、メールアドレス、利用者コード、メール配信条件（期日、指定時間）、選定宿泊施設ＩＤを対応付けて記憶するように構成されている。選定宿泊施設ＩＤは、第一、第二、第三のように選定番号別に記憶される。
【００４０】
メール配信条件は、返信用メールを配信する時機を特定する条件である。この例では、期日と指定時間を設定できるように構成されている。期日は、配信する時機を日単位で特定する条件である。この例では、各曜日（月曜日、火曜日など）の他、平日、休日、毎日などの設定ができるように構成されている。指定時間は、配信する時機を時間で特定する条件である。この例では、１時間単位で選択できるように構成されているが、１０分単位で選択できるように、あるいは１分単位で任意に入力するように構成することもできる。
【００４１】
宿泊施設選定部３０４は、図２の宿泊施設選定処理（Ｓ２０３）を行う。具体的には、宿泊施設の検索条件の入力を促す検索条件入力画面を宿泊申込者携帯端末１０２に送信し、宿泊申込者携帯端末１０２のブラウザに表示された検索条件入力画面に入力された検索条件を受信する。検索条件としては、例えば宿泊料金や所在地を限定する条件が考えられる。そして、宿泊施設テーブル３０５からその検索条件に適合する宿泊施設を検索する。検索した宿泊施設のリストを表示して、リストから利用する宿泊施設の選択を促す宿泊施設選択画面を生成し、宿泊申込者携帯端末１０２に送信し、宿泊申込者携帯端末１０２のブラウザに表示された宿泊施設選択画面で選択された宿泊施設の情報を受信する。最後に、選択された宿泊施設のＩＤを選定宿泊施設ＩＤとして、利用者ＩＤに対応つけて利用者情報テーブル３０３に記憶させる。この動作を繰り返して、複数の宿泊施設を選択する。選択された宿泊施設のＩＤを、それぞれ選定番号に対応付けて記憶させる。
【００４２】
図５は宿泊施設テーブルの例を示す図である。選定対象となる宿泊施設のデータは、宿泊施設テーブル３０５で管理している。宿泊施設毎にレコードを設け、宿泊施設ＩＤ、宿泊施設名、所在地、アクセス方法、連絡先、ＨＰアドレス、及び部屋タイプ別の宿泊料金を対応付けて記憶するように構成されている。この例で、各宿泊料金はいずれも一人の料金を示している。
【００４３】
以上で（イ）利用者登録の手順の説明を終える。次に、（ロ）返信用メール配信の手順について、図６〜図１０を用いて説明する。
【００４４】
図６は返信用メールの例を示す図である。この手順（ロ）では、図６で例示する返信用メールを宿泊申込者携帯端末１０２に配信する。送信者は、送信元を特定するメールアドレスであり、選定宿泊施設の選定番号（"1#"）と人数・部屋数コード（"1-1"）と利用者コード（"satohichiro"）と予約を意味するコード（"yoyaku"）を組み合せたローカル部と、宿泊予約代行サーバ１０１のホスト名であるドメイン（"hotel123.jp"）から構成されている。選定宿泊施設の選定番号には、アンダーバーを付している。第二選定宿泊施設の場合には、"2#"となる。人数・部屋数コードは、人数と部屋数をハイフンでつなぐ構成となっている。二人一部屋の場合は、"2-1"となる。宛先は、受信先を特定するメールアドレスであり、利用者のメールアドレス（"satoh@abc.ne.jp"）が設定される。件名には、所定の定型句（「リプライで宿泊予約申込！」）の先頭に、選定宿泊施設の選定番号（"1#"）と人数・部屋数コード（"1-1"）を加えた文字列と、選定宿泊施設名が設定される。また、本文にも、所定の定型文（「本メールの返信メールの送信により、お＿＿＿＿＿＿＿ついて、送信日の宿泊予約を受け付けます。＜宿泊施設名＞＿＿＿＿＿＿＜申込者＞＿＿＿＿＿様」）の空欄に、人数・部屋数と、選定宿泊施設名と、利用者の氏名を加えた文字列が設定される。尚、利用者コードは、利用者を特定する情報の例である。利用者コードに代えて、宿泊予約代行サーバ１０１の内部で管理する利用者ＩＤのように、他に利用者を特定できる情報を用いてローカル部を生成することも有効である。
【００４５】
上述のように、宿泊施設、宿泊人数、及び部屋数を識別できるローカル部を採用し、併せて宿泊施設、宿泊人数、及び部屋数を特定できる件名を採用しているので、宿泊申込者は返信用メールを一読するだけ予約操作を簡易に行うことができる。これらの返信用メールを同時に送信し、あるいは時間をおいて送信することで、メールを選別して返信することで予約操作を簡略化することができる。
【００４６】
返信用メール配信の処理について説明する。図７は宿泊予約代行サーバによる返信用メール配信の処理フローを示す図である。配信対象抽出処理（Ｓ７０１、図９）で、配信の時機（タイミング）を待って、メールの配信対象となる利用者を抽出し、配信対象の利用者毎に以下の処理を繰り返す（Ｓ７０２）。当該利用者が設定した選定宿泊施設毎に、以下の処理を繰り返す（Ｓ７０３）。
【００４７】
人数・部屋数条件毎に（Ｓ７０４）、返信用メール生成処理（Ｓ７０５）で、利用者・選定宿泊施設・人数・部屋数条件を指定した返信用メールを生成し、返信用メール送信処理（Ｓ７０６）で、インターネットを介して、生成した返信用メールを送信する。人数・部屋数条件は、例えば、一人一部屋、二人一部屋、二人二部屋、三人一部屋、三人二部屋、三人三部屋等の人数と部屋数を組み合せた所定の条件である。すべての人数・部屋数条件について処理を繰り返すことにより（Ｓ７０７）、当該選定宿泊施設に関する人数・部屋数条件の異なる複数の返信用メールを送ることになる。
【００４８】
そして、すべての選定宿泊施設について処理した時点で（Ｓ７０８）、当該利用者に対する処理を終了し、更にすべての配信対象の利用者について同様に処理を繰り返した時点で（Ｓ７０９）、Ｓ７０１に戻る。
【００４９】
図８は返信用メール配信に係る宿泊予約代行サーバの構成を示す図である。利用者情報テーブル３０３は、前述の通り（図４）である。配信対象抽出部８０１は、配信対象抽出処理（Ｓ７０１）を行う。図９を用いて、詳述する。
【００５０】
図９は配信対象抽出処理フローを示す図である。判定時刻まで待機する（Ｓ９０１）。判定時刻は、メール配信条件の指定時間として設定可能な時刻である。この例では、１時間おきの各時００分（８：００、９：００等）を設定できるようにしているので、各時００分に至るまで待機を繰り返す。そして、判定時刻に至ると、利用者レコード毎に以下の処理を繰り返す（Ｓ９０２）。
【００５１】
まず、期日を判定する（Ｓ９０３）。当該レコードのメール配信条件の期日を取得し、処理当日（本日）の曜日をカレンダー部（図示せず）から取得し、処理当日の曜日が期日に適合するか判定する。メール配信条件の期日が曜日で設定されている場合には、曜日が一致する場合に適合すると判定する。同期日が平日と設定されている場合には、処理当日の曜日が月曜日から金曜日の場合に適合すると判定する。同期日が休日と設定されている場合には、処理当日の曜日が土曜あるいは日曜の場合と祝日の場合に、適合と判定する。同期日が毎日と設定されている場合には、すべて適合と判定する。一致しない場合は、不適合と判定する。
【００５２】
次に、指定時間を判定する（Ｓ９０４）。当該レコードのメール配信条件の指定時刻を取得し、Ｓ９０１で至った判定時刻と一致するか判定する。一致する場合に適合すると判定する。一致しない場合は、不適合と判定する。
【００５３】
期日と指定時刻の両方が適合する場合に、当該レコードの利用者ＩＤを特定して、配信対象とする（Ｓ９０５）。少なくとも期日と指定時刻のいずれかが不適合の場合には、当該利用者を配信対象としない（Ｓ９０６）。そして、すべての利用者について処理した時点で終了する（Ｓ９０７）。
【００５４】
図１０は返信用メール生成処理フローを示す図である。宿泊施設の選定番号を特定する（Ｓ１００１）。設定されている選定宿泊施設の選定番号を順に（１，２，３，・・・）特定する。人数・部屋数条件により人数と部屋数を連ねた人数・部屋数コードを特定する（Ｓ１００２）。利用者情報テーブル３０３から利用者ＩＤに対応する利用者コードを取得する（Ｓ１００３）。そして、選定宿泊施設の選定番号と人数・部屋数コードと利用者コードを含む申込受付用メールアドレスを生成し（Ｓ１００４）、生成した申込受付用メールアドレスを電子メールフォーム中の送信者アドレス欄に設定する（Ｓ１００５）。この例では、選定宿泊施設の選定番号（"1#"）と人数・部屋数コード（"1-1"）と利用者コード（"satohichiro"）と予約を意味するコード（"yoyaku"）を組み合せてメールアドレスのローカル部とする。更に、宿泊予約代行サーバ１０１を識別するドメイン（"hotel123.jp"）を加えて、申込受付用メールアドレスとしている。また、利用者情報テーブル３０３から利用者ＩＤに対応する利用者メールアドレスを取得し（Ｓ１００６）、その利用者メールアドレスを電子メールフォーム中の宛先アドレス欄に設定する（Ｓ１００７）。更に、選定番号の選定宿泊施設ＩＤに対応する宿泊施設名を宿泊施設テーブル３０５から取得し、件名の定型句に、選定宿泊施設の選定番号と人数・部屋数コードと宿泊施設名を加えて、電子メールフォーム中の件名欄に設定する（Ｓ１００８）。また、本文の定型文に、人数・部屋数の記述を加え（Ｓ１００９）、宿泊施設テーブル３０５から選定宿泊施設ＩＤに対応する宿泊施設名を取得して、本文定型文に加え（Ｓ１０１０）、利用者情報テーブル３０３から利用者ＩＤに対応する利用者氏名を取得して、本文定型文に加える（Ｓ１０１１）。そして、加工された本文定型文を電子メールフォーム中の本文欄に設定する（Ｓ１０１１）。
【００５５】
返信用メール送信部８０３は、図７の返信用メール送信処理（Ｓ７０６）を行う。具体的には、返信用メール生成処理（Ｓ７０５）で生成した返信用メールを、インターネットを介して送信する。
【００５６】
以上で（ロ）返信用メール配信の手順の説明を終える。続いて、（ハ）宿泊申込メール発信の手順について図１１を用いて説明する。
【００５７】
宿泊申込者は、宿泊申込者携帯端末１０２で受信した返信用メール群の件名リストをメーラーで表示させ、その件名から希望の宿泊施設と人数と部屋数を特定している返信用メールを選択し、メーラーの返信機能を用いて返信する。この返信メールが宿泊申込メールとなる。
【００５８】
図１１は宿泊申込メールの例を示す図である。電子メールフォーム中の送信者欄には、返信用メールの宛先のアドレス（"1#1-1satohichiroyoyaku@hotel123.jp"）が自動的に設定され、宛先には、返信用メールの宛先のアドレス（"satoh@abc.ne.jp"）が自動的に設定される。件名には、返信用メールのタイトルがコピーされ、返信を示すコード（"Re:"）が付加される。この例では、本文は空欄となっているが、返信用メールの本文の引用を設定してもよい。
【００５９】
以上で（ハ）宿泊申込メール発信の手順の説明を終える。最後に、（ニ）宿泊施設手配と予約完了メール返信の手順について、図１２〜図１４を用いて説明する。
【００６０】
図１２は宿泊予約代行サーバによる宿泊施設手配の処理フローを示す図である。宿泊予約代行サーバ１０１は、宿泊申込メール受信処理（Ｓ１２０１）で、宿泊申込メールを受信すると、利用者特定処理（Ｓ１２０２）で、宿泊申込メールに基づいて宿泊申込者である利用者を特定し、宿泊施設特定処理（Ｓ１２０３）で、宿泊施設を特定し、人数・部屋数特定処理（Ｓ１２０４）で、人数・部屋数条件を特定する。そして、宿泊施設予約処理（Ｓ１２０５）で、予め選定している宿泊施設での当日の宿泊を予約する。予約が完了すると、予約完了メール生成処理（Ｓ１２０６）で、宿泊申込者携帯端末１０２へ予約の完了と予約の内容を通知するメールを生成し、予約完了メール送信処理（Ｓ１２０７）でインターネットを介して送信する。
【００６１】
図１３は宿泊施設手配に係る宿泊予約代行サーバの構成を示す図である。宿泊申込メール受信部１３０１は、宿泊申込メール受信処理（Ｓ１２０１）を行う。具体的には、宿泊申込メールの宛先アドレス（前述の返信用メール（図６）で設定した送信者のアドレスと同じ）宛に転送されてきた宿泊申込メールを受信する。宿泊申込メール受信部１３０１は、宿泊予約代行サーバ１０１のホスト名であるドメインを含み、ローカル部に予約を意味するコード（"yoyaku"）を含むすべてのメールを受信するように動作する。受信した宿泊申込メールは、宿泊申込メール記憶部１３０２に記憶される。そして、利用者特定部１３０３は、利用者特定処理（Ｓ１２０２）を行う。具体的には、宛先アドレスに含まれる利用者コードを特定する。そして、当該利用者コードを含む利用者レコードを検索することにより、検索されたレコードで対応付けられている利用者ＩＤと利用者メールアドレスを特定する。そして、宿泊申込メールの送信者アドレスを取得し、送信者アドレスと利用者のメールアドレスを比較する。一致する場合に、正常（宿泊申込メールが真正）と判断し、以降の処理を継続する。他方、一致しない場合には、エラー（宿泊申込メールが不正）と判断し、中断する。つまり、以降の処理を行わない。
【００６２】
利用者特定部１３０３は、更に、宿泊申込メールの件名が、返信用メールに対する返信による件名に相当するかを判定するようにすることも有効である。その場合、宿泊申込メールの件名を取得し、返信用メールの件名に対する返信時の件名と一致するかを判定する。返信時の件名は、返信用メールの件名の先頭に、返信である旨のコード（例えば、"Re:"）を加えて生成することができる。一致する場合に、正常（宿泊申込メールが真正）と判断し、以降の処理を継続する。他方、一致しない場合には、エラー（宿泊申込メールが不正）と判断し、中断する。つまり、以降の処理を行わない。
【００６３】
宿泊施設特定部１３０４は、宿泊施設特定処理（Ｓ１２０３）を行う。具体的には、具体的には、宛先アドレスに含まれる選定宿泊施設の選定番号を特定する。そして、利用者情報テーブル３０３から選定番号に対応する選定宿泊施設ＩＤを取得する。更に、宛先アドレスに含まれる宿泊施設名を特定し、宿泊施設テーブル３０５から選定宿泊施設ＩＤに対応する宿泊施設名を取得し、両者が一致するか確認することも有効である。一致する場合に、正常（宿泊申込メールが真正）と判断し、以降の処理を継続する。他方、一致しない場合には、エラー（宿泊申込メールが不正）と判断し、中断する。つまり、以降の処理を行わない。
【００６４】
人数・部屋数特定部１３０５は、人数・部屋数特定処理（Ｓ１２０４）を行う。具体的には、具体的には、宛先アドレスに含まれる人数・部屋数コードを特定する。更に、宿泊申込メールの件名に含まれる人数・部屋数コードと一致するか確認するも有効である。一致する場合に、正常（宿泊申込メールが真正）と判断し、以降の処理を継続する。他方、一致しない場合には、エラー（宿泊申込メールが不正）と判断し、中断する。つまり、以降の処理を行わない。
【００６５】
宿泊施設予約部１３０６は、宿泊施設予約処理（Ｓ１２０５）を行う。具体的には、特定した選定宿泊施設ＩＤにより特定される予約管理システムと通信を行い、宿泊の予約の手続を処理する。その際、人数・部屋数条件から、部屋数分の部屋タイプと利用人数の組を特定する。例えば、一人一部屋の条件では、シングルタイプ・一人、二人一部屋の条件では、ツインタイプ・二人、二人二部屋の条件では、シングルタイプ・一人とシングルタイプ・一人、三人一部屋の条件では、トリプルタイプ・三人、三人二部屋の条件では、シングルタイプ・一人とツインタイプ・二人、三人三部屋の条件では、シングルタイプ・一人とシングルタイプ・一人とシングルタイプ・一人のように、部屋タイプと利用人数の組を特定する。そして、利用者情報テーブル３０３より利用者ＩＤに対応する利用者氏名と携帯電話番号を取得し、部屋数分の部屋タイプと利用人数の組、本日宿泊の旨とともに、インターネットあるいは専用線などのネットワークを介して、予約管理システムに対して送信する。そして、予約管理システムから予約完了の返信を受信して終了する。予約管理システムは、宿泊施設の宿泊予約を管理するシステムである。外部の予約管理システムによらず、宿泊施設のＩＤにより特定される予約管理を内部の予約管理システムで行っている場合には、ネットワークを介さずに予約管理システムに対する宿泊の予約の手続を処理する。
【００６６】
図１３の予約完了メール生成部１３０７は、予約完了メール生成処理（Ｓ１２０６）を行う。図１４は予約完了メールの例を示す図である。具体的には、宿泊施設テーブル３０５から、予約した宿泊施設ＩＤ（特定された選定宿泊施設のＩＤと同じ）に対応する宿泊施設名、所在地、アクセス方法、連絡先、ＨＰアドレスを取得し、これらの宿泊施設の情報と予約が完了した旨をメールの件名又は本文に書き込む。宛先には、予約申込者のアドレスを設定する。予約申込者のアドレスは、予約申込メールの送信者アドレスを読み取り、あるいは、利用者ＩＤに対応するメールアドレスを利用者情報テーブル３０３から取得して、それを用いる。
【００６７】
予約完了メール送信部１３０８は、予約完了メール送信処理（Ｓ１２０７）を行う。この処理で、インターネットを介して予約完了メールを送信する。
【実施例２】
【００６８】
実施例１では、宿泊申込メールを受信した時点で、予約を完了させる例を示したが、実施例２では、宿泊申込メールを受信した時点で、仮予約を受付け、取消受付時間内に仮予約取消メールを受信しない場合に、予約を確定させる例について説明する。
【００６９】
図１５は実施例２における動作概要を示す図である。（イ）利用者登録と（ロ）返信用メール配信と（ハ）宿泊申込メール発信については、実施例１と同様である。
（ホ）宿泊予約代行サーバ１０１は宿泊申込メールを受信すると、宿泊施設仮予約と仮予約受付メール返信の手順で、宿泊申込メールより、利用者と、希望の宿泊施設と人数と部屋数を特定し、利用者が希望の宿泊施設への希望の人数と部屋数による宿泊を仮予約し、仮予約した結果を仮予約受付メールとして宿泊申込者携帯端末１０２に返信する。
（へ）利用者が宿泊仮予約を取り消す場合には、宿泊申込者携帯端末１０２による仮予約取消メール発信の手順で、取消受付時間内に仮予約受付メールに対して返信するメールを生成し、発信する。この返信メールが、宿泊の仮予約を取り消す仮予約取消メールとなる。
（ト）宿泊予約代行サーバ１０１は取消受付時間内に仮予約取消メールを受信すると、仮予約取消と取消完了メール返信の手順で、仮予約取消メールより、仮予約を特定し、仮予約を取り消し、取り消した結果を取消完了メールとして宿泊申込者携帯端末１０２に返信する。
（チ）宿泊予約代行サーバ１０１は取消受付時間内に仮予約取消メールを受信しない場合には、予約確定と予約確定メール送信の手順で、仮予約を予約として確定し、確定した結果を予約確定メールとして宿泊申込者携帯端末１０２に返信する。
【００７０】
以下、（ホ）〜（チ）の各手順について説明する。まず、（ホ）宿泊施設仮予約と仮予約受付メール返信の手順について、図１６〜図１９を用いて説明する
図１６は宿泊予約代行サーバによる宿泊施設仮予約の処理フローを示す図である。宿泊申込メール受信処理（Ｓ１６０１）と利用者特定処理（Ｓ１６０２）と宿泊施設特定処理（Ｓ１６０３）と人数・部屋数特定処理（Ｓ１６０４）は、実施例１における図１２の宿泊申込メール受信処理（Ｓ１２０１）と利用者特定処理（Ｓ１２０２）と宿泊施設特定処理（Ｓ１２０３）と人数・部屋数特定処理（Ｓ１２０４）と同様である。
【００７１】
仮予約登録処理（Ｓ１６０５）で、予め選定している宿泊施設での当日の宿泊を仮予約する。仮予約受付メール生成処理（Ｓ１６０６）で、仮予約の受付と仮予約の内容を通知するメールを生成し、仮予約受付メール送信処理（Ｓ１６０７）でインターネットを介して送信する。
【００７２】
図１７は宿泊施設仮予約に係る宿泊予約代行サーバの構成を示す図である。仮予約登録部１７０１は、仮予約登録処理（Ｓ１６０５）を行う。具体的には、特定した選定宿泊施設ＩＤにより特定される予約管理システムと通信を行い、宿泊の仮予約の手続を処理する。その際、人数・部屋数条件から、部屋数分の部屋タイプと利用人数の組を特定する。例えば、一人一部屋の条件では、シングルタイプ・一人、二人一部屋の条件では、ツインタイプ・二人、二人二部屋の条件では、シングルタイプ・一人とシングルタイプ・一人、三人一部屋の条件では、トリプルタイプ・三人、三人二部屋の条件では、シングルタイプ・一人とツインタイプ・二人、三人三部屋の条件では、シングルタイプ・一人とシングルタイプ・一人とシングルタイプ・一人のように、部屋タイプと利用人数の組を特定する。そして、利用者情報テーブル３０３より利用者ＩＤに対応する利用者氏名と携帯電話番号を取得し、部屋数分の部屋タイプと利用人数の組、本日宿泊の旨とともに、インターネットあるいは専用線などのネットワークを介して、予約管理システムに対して送信する。そして、予約管理システムから仮予約可否の回答を受信する。仮予約可の場合のみ処理を続行する。このとき、仮予約受付番号を受信する。仮予約受付番号は、予約管理システム側で仮予約を管理するための識別情報である。予約管理システムは、宿泊施設の宿泊予約を管理するシステムである。外部の予約管理システムによらず、宿泊施設のＩＤにより特定される予約管理を内部の予約管理システムで行っている場合には、ネットワークを介さずに予約管理システムに対する宿泊の仮予約の手続を処理する。尚、回答が仮予約不可である場合には、仮予約不可の旨を宿泊申込者携帯端末１０２にメールで返信する。
【００７３】
そして、仮予約テーブル１７０２に新たな仮予約ＩＤを割り振って、仮予約ＩＤに対応付けて仮予約受付時刻、仮予約取消期限、仮予約受付番号、利用者ＩＤ、仮予約宿泊施設ＩＤ、及び人数・部屋数を対応付けて記憶させる。仮予約宿泊施設ＩＤには、選定予約宿泊施設ＩＤを当てる。仮予約受付時刻は、仮予約登録処理を行なった時刻である。仮予約取消期限は、仮予約受付時刻に所定の取消受付時間（この例では、３０分）を加えた時刻である。
【００７４】
図１８は仮予約テーブルの例を示す図である。仮予約毎にレコードを設け、無効フラグ、仮予約ＩＤ、仮予約受付時刻、仮予約取消期限、仮予約受付番号、利用者ＩＤ、仮予約宿泊施設ＩＤ、人数・部屋数を対応付けて記憶している。無効フラグは、仮予約登録時にＯＦＦであり、仮予約が無効となった時点でＯＮとなる。
【００７５】
図１７の仮予約受付メール生成部１７０３は、仮予約受付メール生成処理（Ｓ１６０６）を行う。図１９は仮予約受付メールの例を示す図である。具体的には、仮予約ＩＤを含む取消受付用メールアドレスを生成し、生成した取消受付用メールアドレスを電子メールフォーム中の送信者アドレス欄に設定する。この例では、仮予約を意味するコード（"kariyoyaku"）と仮予約ＩＤ（"pr0001"）とを組み合せてメールアドレスのローカル部とする。更に、宿泊予約代行サーバ１０１を識別するドメイン（"hotel123.jp"）を加えて、取消受付用メールアドレスとしている。また、利用者情報テーブル３０３から利用者ＩＤに対応する利用者メールアドレスを取得し、その利用者メールアドレスを電子メールフォーム中の宛先アドレス欄に設定する。更に、件名の定型句に、人数・部屋数コードを加えて、電子メールフォーム中の件名欄に設定する。本文の定型文に、仮予約受付時刻と、仮予約取消期限と、仮予約宿泊施設ＩＤに対応する宿泊施設名、所在地、アクセス方法、連絡先、及びＨＰアドレスと、利用者氏名と、人数・部屋数の記述を加え、加工された本文定型文を電子メールフォーム中の本文欄に設定する。このとき、仮予約ＩＤに対応する仮予約受付時刻、仮予約取消期限、利用者ＩＤ、仮予約宿泊施設ＩＤ、人数・部屋を仮予約テーブル１７０２から取得する。また、仮予約宿泊施設ＩＤに対応する宿泊施設名、所在地、アクセス方法、連絡先、及びＨＰアドレスを宿泊施設テーブル３０５から取得し、利用者ＩＤに対応する利用者氏名を利用者情報テーブル３０３から取得する。
【００７６】
仮予約受付メール送信部１７０４は、図１６の仮予約受付メール送信処理（Ｓ１６０７）を行う。具体的には、仮予約受付メール生成処理（Ｓ１６０６）で生成した仮予約受付メールを、インターネットを介して送信する。
【００７７】
以上で（ホ）宿泊施設仮予約と仮予約受付メール返信の手順の説明を終える。次に、（へ）仮予約取消メール発信の手順について、図２０を用いて説明する。
【００７８】
宿泊申込者は、宿泊申込者携帯端末１０２で受信した仮予約受付メールをメーラーに表示させて内容を仮登録の内容を確認する。仮予約を取り消す場合には、メーラーの返信機能を用いて仮予約受付メールに対して返信する。この返信メールが仮予約取消メールとなる。
【００７９】
図２０は仮予約取消メールの例を示す図である。
【００８０】
以上で（へ）仮予約取消メール発信の手順の説明を終える。次に、（ト）仮予約取消と取消完了メール返信の手順について、図２１〜図２３を用いて説明する。
【００８１】
図２１は宿泊予約代行サーバによる仮予約取消の処理フローを示す図である。宿泊予約代行サーバ１０１は、仮予約取消メール受信処理（Ｓ２１０１）で、仮予約取消メールを受信すると、仮予約特定処理（Ｓ２１０２）で、仮予約を特定し、取消要求処理（Ｓ２１０３）で、特定した仮予約を無効化する。仮予約を無効化すると、取消完了メール生成処理（Ｓ２１０４）で、宿泊申込者携帯端末１０２へ仮予約の取り消しを通知する取消完了メールを生成し、取消完了メール返信処理（Ｓ２１０５）でインターネットを介して送信する。
【００８２】
図２２は仮予約取消に係る宿泊予約代行サーバの構成を示す図である。仮予約取消メール受信部２２０１は、仮予約取消メール受信処理（Ｓ２１０１）を行う。具体的には、仮予約取消メールの宛先アドレス（前述の仮予約受付メール（図１９）で設定した送信者のアドレスと同じ）宛に転送されてきた仮予約取消メールを受信する。仮予約取消メール受信部２２０１は、宿泊予約代行サーバ１０１のホスト名であるドメインを含み、ローカル部に仮予約を意味するコード（"kariyoyaku"）を含むすべてのメールを受信するように動作する。受信した仮予約取消メールは、仮予約取消メール記憶部２２０２に記憶される。そして、仮予約特定部２２０３は、仮予約特定処理（Ｓ２１０２）を行う。具体的には、宛先アドレスに含まれる仮予約ＩＤを特定する。取消要求部２２０４は、取消要求処理（Ｓ２１０３）を行う。具体的には、仮予約テーブル１７０２から仮予約ＩＤに対応する仮予約受付番号と仮予約宿泊施設ＩＤを取得し、更に対応する無効フラグをＯＮにする。そして、仮予約宿泊施設ＩＤにより特定される予約管理システムと通信を行い、宿泊の仮予約取消の手続を処理する。その際、仮予約受付番号を指定する。
【００８３】
取消完了メール生成部２２０５は、取消完了メール生成処理（Ｓ２１０４）を行う。図２３は取消完了メールの例を示す図である。具体的には、仮予約テーブル１７０２から仮予約ＩＤに対応する仮予約宿泊施設ＩＤと人数・部屋数を取得し、宿泊施設テーブル３０５から、仮予約宿泊施設ＩＤに対応する宿泊施設名を取得し、利用者情報テーブル３０３から利用者ＩＤに対応する利用者氏名を取得し、宿泊施設名、人数・部屋数、利用者氏名、仮予約を取り消した旨を本文に書き込む。件名は、仮予約を取り消した旨の定型句が設定される。宛先には、予約申込者のアドレスを設定する。予約申込者のアドレスは、仮予約取消メールの送信者アドレスを読み取り、あるいは、利用者ＩＤに対応するメールアドレスを利用者情報テーブル３０３から取得して、それを用いる。取消完了メール送信部２２０６は、取消完了メール返信処理（Ｓ２１０５）を行う。この処理で、インターネットを介して取消完了メールを送信する。
【００８４】
以上で（ト）仮予約取消と取消完了メール返信の手順の説明を終える。次に、（チ）予約確定と予約確定メール送信の手順について、図２４〜図２６を用いて説明する。
【００８５】
図２４は宿泊予約代行サーバによる予約確定の処理フローを示す図である。仮予約取消期限判定処理（Ｓ２４０１）で、仮予約取消期限に至った仮予約を判定し、確定要求処理（Ｓ２４０２）で、仮予約取消期限に至った仮予約の内容に従って、宿泊の予約を確定し、予約確定メール生成処理（Ｓ２４０３）で、宿泊申込者携帯端末１０２に予約が確定したことを通知する予約確定メールを生成し、予約確定メール送信処理（Ｓ２４０４）で、インターネットを介して予約確定メールを送信する。
【００８６】
図２５は予約確定に係る宿泊予約代行サーバの構成を示す図である。仮予約取消期限判定部２５０１は、仮予約取消期限判定処理（Ｓ２４０１）を行う。具体的には、仮予約テーブル１７０２から無効フラグがＯＦＦで、仮予約取消期限が経過している仮予約を選び出し、その仮予約ＩＤを特定する。現時刻が仮予約取消期限より大きい（遅い時点）場合に、経過していると判定する。
【００８７】
確定要求部２５０２は、確定要求処理（Ｓ２４０２）を行う。具体的には、期限を経過している仮予約のＩＤに対応する仮予約受付番号と仮予約宿泊施設ＩＤを仮予約テーブル１７０２から取得する。また、仮予約ＩＤに対応する無効フラグをＯＮにする。そして、仮予約宿泊施設ＩＤにより特定される予約管理システムと通信を行い、仮予約を予約として確定させる手続を処理する。その際、仮予約受付番号を指定して、本日宿泊の旨とともに、インターネットあるいは専用線などのネットワークを介して、予約管理システムに対して送信する。そして、予約管理システムから予約完了の返信を受信して終了する。予約管理システムは、宿泊施設の宿泊予約を管理するシステムである。外部の予約管理システムによらず、宿泊施設のＩＤにより特定される予約管理を内部の予約管理システムで行っている場合には、ネットワークを介さずに予約管理部に対する仮予約確定の手続を処理する。
【００８８】
予約確定メール生成部２５０３は、予約確定メール生成処理（Ｓ２４０３）を行う。図２６は予約確定メールの例を示す図である。具体的には、宿泊施設テーブル３０５から、仮予約宿泊施設のＩＤに対応する宿泊施設名、所在地、アクセス方法、連絡先、ＨＰアドレスを取得し、これらの宿泊施設の情報と予約が確定した旨をメールの件名又は本文に書き込む。宛先には、予約申込者のアドレスを設定する。予約申込者のアドレスは、予約申込メールの送信者アドレスを読み取り、あるいは、利用者ＩＤに対応するメールアドレスを利用者情報テーブル３０３から取得して、それを用いる。
【００８９】
予約確定メール送信部２５０４は、予約確定メール送信処理（Ｓ２４０４）を行う。具体的には、この処理で、インターネットを介して予約確定メールを送信する。
【実施例３】
【００９０】
実施例３では、図２１の取消完了メール生成処理（Ｓ２１０４）において、取消完了メールの本文に宿泊施設の予約画面のＵＲＬを加える。図２７は実施例３における取消完了メールの例を示す図である。
【００９１】
これにより、他の宿泊施設の予約を行う操作が簡単になる。
【００９２】
また、ＵＲＬのパラメータとして利用者ＩＤと人数・部屋数を付加し、宿泊施設の予約における利用者認証と人数・部屋数の入力操作を省くことに役立てることもできる。
【００９３】
宿泊予約代行サーバ１０１は、コンピュータであり、各要素はプログラムにより処理を実行することができる。また、プログラムを記憶媒体に記憶させ、記憶媒体からコンピュータに読み取られるようにすることができる。
【符号の説明】
【００９４】
１０１    宿泊予約代行サーバ
１０２    宿泊申込者携帯端末
３０１    利用者情報受付部
３０２    利用者情報登録部
３０３    利用者情報テーブル
３０４    宿泊施設選定部
３０５    宿泊施設テーブル
８０１    配信対象抽出部
８０２    返信用メール生成部
８０３    返信用メール送信部
１３０１    宿泊申込メール受信部
１３０２    宿泊申込メール記憶部
１３０３    利用者特定部
１３０４    宿泊施設特定部
１３０５    人数・部屋数特定部
１３０６    宿泊施設予約部
１３０７    予約完了メール生成部
１３０８    予約完了メール送信部
１７０１    仮予約登録部
１７０２    仮予約テーブル
１７０３    仮予約受付メール生成部
１７０４    仮予約受付メール送信部
２２０１    仮予約取消メール受信部
２２０２    仮予約取消メール記憶部
２２０３    仮予約特定部
２２０４    取消要求部
２２０５    取消完了メール生成部
２２０６    取消完了メール送信部
２５０１    仮予約取消期限判定部
２５０２    確定要求部
２５０３    予約確定メール生成部
２５０４    予約確定メール送信部
【図１】
2011053756.tif 000003
【図２】
2011053756.tif 000004
【図３】
2011053756.tif 000005
【図４】
2011053756.tif 000006
【図５】
2011053756.tif 000007
【図６】
2011053756.tif 000008
【図７】
2011053756.tif 000009
【図８】
2011053756.tif 000010
【図９】
2011053756.tif 000011
【図１０】
2011053756.tif 000012
【図１１】
2011053756.tif 000013
【図１２】
2011053756.tif 000014
【図１３】
2011053756.tif 000015
【図１４】
2011053756.tif 000016
【図１５】
2011053756.tif 000017
【図１６】
2011053756.tif 000018
【図１７】
2011053756.tif 000019
【図１８】
2011053756.tif 000020
【図１９】
2011053756.tif 000021
【図２０】
2011053756.tif 000022
【図２１】
2011053756.tif 000023
【図２２】
2011053756.tif 000024
【図２３】
2011053756.tif 000025
【図２４】
2011053756.tif 000026
【図２５】
2011053756.tif 000027
【図２６】
2011053756.tif 000028
【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
宿泊申込者携帯端末と接続可能であって、以下の要素を有することを特徴とする宿泊予約代行サーバ
（１）利用者毎に利用者のメールアドレスおよび識別情報を記憶する利用者情報テーブル
（２）前記利用者情報テーブルを参照し、宛先アドレスに、利用者のメールアドレスを設定し、送信者アドレスに、宿泊する人数と部屋数のいずれか一方を含むローカル部と宿泊予約代行サーバを識別するドメインからなるアドレスを設定した宿泊予約用の返信用メールを生成する返信用メール生成部
（３）生成した返信用メールを送信する返信用メール送信部
（４）宿泊申込者携帯端末から、返信用メールに対する返信である宿泊申込メールを受信する宿泊申込メール受信部
（５）受信した宿泊申込メールから利用者を特定する利用者特定部
（６）受信した宿泊申込メールに設定されている宛先アドレスのローカル部を読み取り、ローカル部から宿泊する人数及び／又は部屋数を特定する人数・部屋数特定部
（７）特定された選定宿泊施設の予約を管理する予約管理システムに対して、宿泊する人数及び／又は部屋数を指定して宿泊を予約する宿泊施設予約部。
【請求項２】
前記利用者特定部は、前記利用者情報テーブルを参照し、利用者のメールアドレスから利用者を特定することを特徴とする請求項１に記載の宿泊予約代行サーバ。
【請求項３】
前記返信用メール生成部は、送信者アドレスに、利用者の識別情報を含むローカル部を設定し、
前記利用者特定部は、受信した宿泊申込メールに設定されている宛先アドレスのローカル部を読み取り、前記利用者情報テーブルを参照してローカル部の利用者の識別情報から利用者を特定することを特徴とする請求項１に記載の宿泊予約代行サーバ。
【請求項４】
前記利用者情報テーブルは、利用者が予め選定した複数の選定宿泊施設を記憶しており、
前記返信用メール生成部は、送信者アドレスに、利用者が選定したいずれかの選定宿泊施設の識別情報を含むローカル部を設定し、
更に、
（８）前記利用者情報テーブルを参照し、受信した宿泊申込メールに設定されている宛先アドレスのローカル部を読み取り、ローカル部から選定宿泊施設を特定する宿泊施設特定部
を有することを特徴とする請求項１に記載の宿泊予約代行サーバ。
【請求項５】
更に、
（９）宿泊施設毎に、宿泊施設の情報を記憶する宿泊施設テーブルと、
（１０）前記宿泊施設予約部で予約した選定宿泊施設に対応する宿泊施設の情報を宿泊施設テーブルから取得し、取得した宿泊施設の情報を本文に設定し、宛先アドレスに、利用者のメールアドレスを設定した予約完了メールを生成する予約完了メール生成部と、
（１１）生成した予約完了メールを送信する予約完了メール送信部を有することを特徴とする請求項４に記載の宿泊予約代行サーバ。
【請求項６】
宿泊申込者携帯端末と接続可能であって、以下の要素を有することを特徴とする宿泊予約代行サーバ
（１）利用者毎に利用者のメールアドレスおよび識別情報を記憶する利用者情報テーブル
（２）前記利用者情報テーブルを参照し、宛先アドレスに、利用者のメールアドレスを設定し、送信者アドレスに、宿泊する人数と部屋数のいずれか一方を含むローカル部と宿泊予約代行サーバを識別するドメインからなるアドレスを設定した宿泊予約用の返信用メールを生成する返信用メール生成部
（３）生成した返信用メールを送信する返信用メール送信部
（４）宿泊申込者携帯端末から、返信用メールに対する返信である宿泊申込メールを受信する宿泊申込メール受信部
（５）受信した宿泊申込メールから利用者を特定する利用者特定部
（６）受信した宿泊申込メールに設定されている宛先アドレスのローカル部を読み取り、ローカル部から宿泊する人数及び／又は部屋数を特定する人数・部屋数特定部
（７）特定された選定宿泊施設の予約を管理する予約管理システムに対して、宿泊する人数及び／又は部屋数を指定して宿泊を仮予約する仮予約登録部。
【請求項７】
前記利用者情報テーブルは、利用者が予め選定した複数の選定宿泊施設を記憶しており、
前記返信用メール生成部は、送信者アドレスに、利用者が選定したいずれかの選定宿泊施設の識別情報を含むローカル部を設定し、
更に、
（８）前記利用者情報テーブルを参照し、受信した宿泊申込メールに設定されている宛先アドレスのローカル部を読み取り、ローカル部から選定宿泊施設を特定する宿泊施設特定部
を有することを特徴とする請求項６に記載の宿泊予約代行サーバ。
【請求項８】
更に、
（９）宿泊施設毎に、宿泊施設の情報を記憶する宿泊施設テーブルと、
（１０）前記宿泊施設予約部で予約した選定宿泊施設に対応する宿泊施設の情報を宿泊施設テーブルから取得し、取得した宿泊施設の情報を本文に設定し、宛先アドレスに、利用者のメールアドレスを設定した仮予約受付メールを生成する仮予約受付メール生成部と、
（１１）生成した仮予約受付メールを送信する仮予約受付メール送信部を有することを特徴とする請求項７に記載の宿泊予約代行サーバ。
【請求項９】
前記仮予約受付メール生成部は、仮予約受付メールの送信者アドレスに、前記仮予約を識別する情報を含むローカル部と宿泊予約代行サーバを識別するドメインからなるアドレスを設定し、
宿泊予約代行サーバは、更に、
（１２）宿泊申込者携帯端末から、仮予約受付メールに対する返信である仮予約取消メールを受信する仮予約取消メール受信部と、
（１３）受信した宿泊申込メールに設定されている宛先アドレスのローカル部を読み取り、ローカル部から仮予約識別情報を特定する仮予約特定部と、
（１４）前記予約管理システムに対して、仮予約識別情報により特定される仮予約を取り消す取消要求部を有することを特徴とする請求項８に記載の宿泊予約代行サーバ。
【請求項１０】
更に、
（１５）宛先アドレスに、前記利用者のメールアドレスを設定した、仮予約の取消が完了した旨を通知する取消完了メールを生成する取消完了メール生成部と、
（１６）生成した取消完了メールを送信する取消完了メール送信部を有することを特徴とする請求項９に記載の宿泊予約代行サーバ。
【請求項１１】
前記仮予約登録部は、仮予約した仮予約受付時刻を特定し、
宿泊予約代行サーバは、更に、
（１７）仮予約受付時刻から所定の取消受付時間を経過した仮予約を特定する仮予約取消期限判定部と、
（１８）前記予約管理システムに対して、取消受付時間を経過した仮予約を予約として確定させる確定要求部を有することを特徴とする請求項８乃至１０のいずれかに記載の宿泊予約代行サーバ。
【請求項１２】
宿泊予約代行サーバは、更に、
（１９）宛先アドレスに、前記利用者のメールアドレスを設定した、予約が確定した旨を通知する予約確定メールを生成する予約確定メール生成部と、
（２０）生成した予約確定メールを送信する予約確定メール送信部を有することを特徴とする請求項１１に記載の宿泊予約代行サーバ。
【請求項１３】
前記利用者情報テーブルは、更に、利用者毎に利用者メールアドレスを記憶し、
前記利用者特定部は、更に、前記利用者情報テーブルから、特定した利用者の利用者メールアドレスを取得し、受信した宿泊申込メールに設定されている送信者アドレスが、取得した利用者メールアドレスと一致しない場合に、宿泊申込メールを不正と判断することを特徴とする請求項６乃至１２のいずれかに記載の宿泊予約代行サーバ。
【請求項１４】
前記返信用メール生成部は、更に、返信用メールの件名に、選定宿泊施設の宿泊施設名を含め、
前記宿泊施設特定部は、受信した宿泊申込メールの件名から選定宿泊施設を特定し、宛先アドレスのローカル部から特定した選定宿泊施設と、件名から特定した選定宿泊施設が一致しない場合に、宿泊申込メールを不正と判断することを特徴とする請求項６乃至１３のいずれかに記載の宿泊予約代行サーバ。
【請求項１５】
前記返信用メール生成部は、更に、返信用メールの件名に、宿泊する人数と部屋数を含め、
前記人数・部屋数特定部は、受信した宿泊申込メールの件名から人数と部屋数を特定し、宛先アドレスのローカル部から特定した人数と部屋数と、件名から特定した人数と部屋数が一致しない場合に、宿泊申込メールを不正と判断することを特徴とする請求項６乃至１４のいずれかに記載の宿泊予約代行サーバ。
【請求項１６】
宿泊申込者携帯端末と接続可能であって、利用者のメールアドレスおよび識別情報を記憶する利用者情報テーブルを有する宿泊予約代行サーバによる宿泊予約代行であって、以下の要素を有することを特徴とする宿泊予約代行方法
（１）前記利用者情報テーブルを参照し、宛先アドレスに、利用者のメールアドレスを設定し、送信者アドレスに、宿泊する人数と部屋数のいずれか一方を含むローカル部と宿泊予約代行サーバを識別するドメインからなるアドレスを設定した宿泊予約用の返信用メールを生成する返信用メール生成工程
（２）生成した返信用メールを送信する返信用メール送信工程
（３）宿泊申込者携帯端末から、返信用メールに対する返信である宿泊申込メールを受信する宿泊申込メール受信工程
（４）受信した宿泊申込メールから利用者を特定する利用者特定工程
（５）受信した宿泊申込メールに設定されている宛先アドレスのローカル部を読み取り、ローカル部から宿泊する人数及び／又は部屋数を特定する人数・部屋数特定工程
（６）特定された選定宿泊施設の予約を管理する予約管理システムに対して、宿泊する人数及び／又は部屋数を指定して宿泊を予約する宿泊施設予約工程。
【請求項１７】
宿泊申込者携帯端末と接続可能であって、利用者のメールアドレスおよび識別情報を記憶する利用者情報テーブルを有する宿泊予約代行サーバとなるコンピュータに、以下の手順を実行させるためのプログラム
（１）前記利用者情報テーブルを参照し、宛先アドレスに、利用者のメールアドレスを設定し、送信者アドレスに、宿泊する人数と部屋数のいずれか一方を含むローカル部と宿泊予約代行サーバを識別するドメインからなるアドレスを設定した宿泊予約用の返信用メールを生成する返信用メール生成手順
（２）生成した返信用メールを送信する返信用メール送信手順
（３）宿泊申込者携帯端末から、返信用メールに対する返信である宿泊申込メールを受信する宿泊申込メール受信手順
（４）受信した宿泊申込メールから利用者を特定する利用者特定手順
（５）受信した宿泊申込メールに設定されている宛先アドレスのローカル部を読み取り、ローカル部から宿泊する人数及び／又は部屋数を特定する人数・部屋数特定手順
（６）特定された選定宿泊施設の予約を管理する予約管理システムに対して、宿泊する人数及び／又は部屋数を指定して宿泊を予約する宿泊施設予約手順。
【請求項１８】
宿泊申込者携帯端末と接続可能であって、利用者のメールアドレスおよび識別情報を記憶する利用者情報テーブルを有する宿泊予約代行サーバとなるコンピュータに、以下の手順を実行させるためのプログラムを記録したコンピュータ読み取り可能な記録媒体
（１）前記利用者情報テーブルを参照し、宛先アドレスに、利用者のメールアドレスを設定し、送信者アドレスに、宿泊する人数と部屋数のいずれか一方を含むローカル部と宿泊予約代行サーバを識別するドメインからなるアドレスを設定した宿泊予約用の返信用メールを生成する返信用メール生成手順
（２）生成した返信用メールを送信する返信用メール送信手順
（３）宿泊申込者携帯端末から、返信用メールに対する返信である宿泊申込メールを受信する宿泊申込メール受信手順
（４）受信した宿泊申込メールから利用者を特定する利用者特定手順
（５）受信した宿泊申込メールに設定されている宛先アドレスのローカル部を読み取り、ローカル部から宿泊する人数及び／又は部屋数を特定する人数・部屋数特定手順
（６）特定された選定宿泊施設の予約を管理する予約管理システムに対して、宿泊する人数及び／又は部屋数を指定して宿泊を予約する宿泊施設予約手順。
【手続補正２】
【補正対象書類名】明細書
【補正対象項目名】０００７
【補正方法】変更
【補正の内容】
【０００７】
本願発明に係る宿泊予約代行サーバは、
宿泊申込者携帯端末と接続可能であって、以下の要素を有することを特徴とする
（１）利用者毎に利用者のメールアドレスおよび識別情報を記憶する利用者情報テーブル
（２）前記利用者情報テーブルを参照し、宛先アドレスに、利用者のメールアドレスを設定し、送信者アドレスに、宿泊する人数と部屋数のいずれか一方を含むローカル部と宿泊予約代行サーバを識別するドメインからなるアドレスを設定した宿泊予約用の返信用メールを生成する返信用メール生成部
（３）生成した返信用メールを送信する返信用メール送信部
（４）宿泊申込者携帯端末から、返信用メールに対する返信である宿泊申込メールを受信する宿泊申込メール受信部
（５）受信した宿泊申込メールから利用者を特定する利用者特定部
（６）受信した宿泊申込メールに設定されている宛先アドレスのローカル部を読み取り、ローカル部から宿泊する人数及び／又は部屋数を特定する人数・部屋数特定部
（７）特定された選定宿泊施設の予約を管理する予約管理システムに対して、宿泊する人数及び／又は部屋数を指定して宿泊を予約する宿泊施設予約部。
【手続補正３】
【補正対象書類名】明細書
【補正対象項目名】０００８
【補正方法】変更
【補正の内容】
【０００８】
更に、
前記利用者特定部は、前記利用者情報テーブルを参照し、利用者のメールアドレスから利用者を特定することを特徴とする。
【手続補正４】
【補正対象書類名】明細書
【補正対象項目名】０００９
【補正方法】変更
【補正の内容】
【０００９】
更に、
前記返信用メール生成部は、送信者アドレスに、利用者の識別情報を含むローカル部を設定し、
前記利用者特定部は、受信した宿泊申込メールに設定されている宛先アドレスのローカル部を読み取り、前記利用者情報テーブルを参照してローカル部の利用者の識別情報から利用者を特定することを特徴とする。
【手続補正５】
【補正対象書類名】明細書
【補正対象項目名】００１０
【補正方法】変更
【補正の内容】
【００１０】
更に、
前記利用者情報テーブルは、利用者が予め選定した複数の選定宿泊施設を記憶しており、
前記返信用メール生成部は、送信者アドレスに、利用者が選定したいずれかの選定宿泊施設の識別情報を含むローカル部を設定し、
更に、
（８）前記利用者情報テーブルを参照し、受信した宿泊申込メールに設定されている宛先アドレスのローカル部を読み取り、ローカル部から選定宿泊施設を特定する宿泊施設特定部
を有することを特徴とする。
【手続補正６】
【補正対象書類名】明細書
【補正対象項目名】００１１
【補正方法】変更
【補正の内容】
【００１１】
更に、
（９）宿泊施設毎に、宿泊施設の情報を記憶する宿泊施設テーブルと、
（１０）前記宿泊施設予約部で予約した選定宿泊施設に対応する宿泊施設の情報を宿泊施
設テーブルから取得し、取得した宿泊施設の情報を本文に設定し、宛先アドレスに、利用
者のメールアドレスを設定した予約完了メールを生成する予約完了メール生成部と、
（１１）生成した予約完了メールを送信する予約完了メール送信部を有することを特徴と
する。
【手続補正７】
【補正対象書類名】明細書
【補正対象項目名】００１２
【補正方法】変更
【補正の内容】
【００１２】
本願発明に係る宿泊予約代行サーバは、
宿泊申込者携帯端末と接続可能であって、以下の要素を有することを特徴とする
（１）利用者毎に利用者のメールアドレスおよび識別情報を記憶する利用者情報テーブル
（２）前記利用者情報テーブルを参照し、宛先アドレスに、利用者のメールアドレスを設定し、送信者アドレスに、宿泊する人数と部屋数のいずれか一方を含むローカル部と宿泊予約代行サーバを識別するドメインからなるアドレスを設定した宿泊予約用の返信用メールを生成する返信用メール生成部
（３）生成した返信用メールを送信する返信用メール送信部
（４）宿泊申込者携帯端末から、返信用メールに対する返信である宿泊申込メールを受信する宿泊申込メール受信部
（５）受信した宿泊申込メールから利用者を特定する利用者特定部
（６）受信した宿泊申込メールに設定されている宛先アドレスのローカル部を読み取り、ローカル部から宿泊する人数及び／又は部屋数を特定する人数・部屋数特定部
（７）特定された選定宿泊施設の予約を管理する予約管理システムに対して、宿泊する人数及び／又は部屋数を指定して宿泊を仮予約する仮予約登録部。
【手続補正８】
【補正対象書類名】明細書
【補正対象項目名】００１３
【補正方法】変更
【補正の内容】
【００１３】
更に、
前記利用者情報テーブルは、利用者が予め選定した複数の選定宿泊施設を記憶しており、
前記返信用メール生成部は、送信者アドレスに、利用者が選定したいずれかの選定宿泊施設の識別情報を含むローカル部を設定し、
更に、
（８）前記利用者情報テーブルを参照し、受信した宿泊申込メールに設定されている宛先アドレスのローカル部を読み取り、ローカル部から選定宿泊施設を特定する宿泊施設特定部
を有することを特徴とする。
【手続補正９】
【補正対象書類名】明細書
【補正対象項目名】００１４
【補正方法】変更
【補正の内容】
【００１４】
更に、
（９）宿泊施設毎に、宿泊施設の情報を記憶する宿泊施設テーブルと、
（１０）前記宿泊施設予約部で予約した選定宿泊施設に対応する宿泊施設の情報を宿泊施設テーブルから取得し、取得した宿泊施設の情報を本文に設定し、宛先アドレスに、利用者のメールアドレスを設定した仮予約受付メールを生成する仮予約受付メール生成部と、
（１１）生成した仮予約受付メールを送信する仮予約受付メール送信部を有することを特徴とする。
【手続補正１０】
【補正対象書類名】明細書
【補正対象項目名】００１５
【補正方法】変更
【補正の内容】
【００１５】
前記仮予約受付メール生成部は、仮予約受付メールの送信者アドレスに、前記仮予約を識別する情報を含むローカル部と宿泊予約代行サーバを識別するドメインからなるアドレスを設定し、
宿泊予約代行サーバは、更に、
（１２）宿泊申込者携帯端末から、仮予約受付メールに対する返信である仮予約取消メールを受信する仮予約取消メール受信部と、
（１３）受信した宿泊申込メールに設定されている宛先アドレスのローカル部を読み取り、ローカル部から仮予約識別情報を特定する仮予約特定部と、
（１４）前記予約管理システムに対して、仮予約識別情報により特定される仮予約を取り消す取消要求部を有することを特徴とする。
【手続補正１１】
【補正対象書類名】明細書
【補正対象項目名】００１６
【補正方法】変更
【補正の内容】
【００１６】
更に、
（１５）宛先アドレスに、前記利用者のメールアドレスを設定した、仮予約の取消が完了した旨を通知する取消完了メールを生成する取消完了メール生成部と、
（１６）生成した取消完了メールを送信する取消完了メール送信部を有することを特徴とする。
【手続補正１２】
【補正対象書類名】明細書
【補正対象項目名】００１７
【補正方法】変更
【補正の内容】
【００１７】
前記仮予約登録部は、仮予約した仮予約受付時刻を特定し、
宿泊予約代行サーバは、更に、
（１７）仮予約受付時刻から所定の取消受付時間を経過した仮予約を特定する仮予約取消期限判定部と、
（１８）前記予約管理システムに対して、取消受付時間を経過した仮予約を予約として確定させる確定要求部を有することを特徴とする。
【手続補正１３】
【補正対象書類名】明細書
【補正対象項目名】００１８
【補正方法】変更
【補正の内容】
【００１８】
宿泊予約代行サーバは、更に、
（１９）宛先アドレスに、前記利用者のメールアドレスを設定した、予約が確定した旨を通知する予約確定メールを生成する予約確定メール生成部と、
（２０）生成した予約確定メールを送信する予約確定メール送信部を有することを特徴とする。
【手続補正１４】
【補正対象書類名】明細書
【補正対象項目名】００１９
【補正方法】変更
【補正の内容】
【００１９】
前記利用者情報テーブルは、更に、利用者毎に利用者メールアドレスを記憶し、
前記利用者特定部は、更に、前記利用者情報テーブルから、特定した利用者の利用者メールアドレスを取得し、受信した宿泊申込メールに設定されている送信者アドレスが、取得した利用者メールアドレスと一致しない場合に、宿泊申込メールを不正と判断することを特徴とする。
【手続補正１５】
【補正対象書類名】明細書
【補正対象項目名】００２０
【補正方法】変更
【補正の内容】
【００２０】
前記返信用メール生成部は、更に、返信用メールの件名に、選定宿泊施設の宿泊施設名を含め、
前記宿泊施設特定部は、受信した宿泊申込メールの件名から選定宿泊施設を特定し、宛先アドレスのローカル部から特定した選定宿泊施設と、件名から特定した選定宿泊施設が一致しない場合に、宿泊申込メールを不正と判断することを特徴とする。
【手続補正１６】
【補正対象書類名】明細書
【補正対象項目名】００２１
【補正方法】変更
【補正の内容】
【００２１】
前記返信用メール生成部は、更に、返信用メールの件名に、宿泊する人数と部屋数を含め、
前記人数・部屋数特定部は、受信した宿泊申込メールの件名から人数と部屋数を特定し、宛先アドレスのローカル部から特定した人数と部屋数と、件名から特定した人数と部屋数が一致しない場合に、宿泊申込メールを不正と判断することを特徴とする。
【手続補正１７】
【補正対象書類名】明細書
【補正対象項目名】００２２
【補正方法】変更
【補正の内容】
【００２２】
本願発明に係る宿泊予約代行方法は、
宿泊申込者携帯端末と接続可能であって、利用者のメールアドレスおよび識別情報を記憶する利用者情報テーブルを有する宿泊予約代行サーバによる宿泊予約代行であって、以下の要素を有することを特徴とする
（１）前記利用者情報テーブルを参照し、宛先アドレスに、利用者のメールアドレスを設定し、送信者アドレスに、宿泊する人数と部屋数のいずれか一方を含むローカル部と宿泊予約代行サーバを識別するドメインからなるアドレスを設定した宿泊予約用の返信用メールを生成する返信用メール生成工程
（２）生成した返信用メールを送信する返信用メール送信工程
（３）宿泊申込者携帯端末から、返信用メールに対する返信である宿泊申込メールを受信する宿泊申込メール受信工程
（４）受信した宿泊申込メールから利用者を特定する利用者特定工程
（５）受信した宿泊申込メールに設定されている宛先アドレスのローカル部を読み取り、ローカル部から宿泊する人数及び／又は部屋数を特定する人数・部屋数特定工程
（６）特定された選定宿泊施設の予約を管理する予約管理システムに対して、宿泊する人数及び／又は部屋数を指定して宿泊を予約する宿泊施設予約工程。
【手続補正１８】
【補正対象書類名】明細書
【補正対象項目名】００２３
【補正方法】変更
【補正の内容】
【００２３】
本願発明に係るプログラムは、
宿泊申込者携帯端末と接続可能であって、利用者のメールアドレスおよび識別情報を記憶する利用者情報テーブルを有する宿泊予約代行サーバとなるコンピュータに、以下の手順を実行させることを特徴とする
（１）前記利用者情報テーブルを参照し、宛先アドレスに、利用者のメールアドレスを設定し、送信者アドレスに、宿泊する人数と部屋数のいずれか一方を含むローカル部と宿泊予約代行サーバを識別するドメインからなるアドレスを設定した宿泊予約用の返信用メールを生成する返信用メール生成手順
（２）生成した返信用メールを送信する返信用メール送信手順
（３）宿泊申込者携帯端末から、返信用メールに対する返信である宿泊申込メールを受信する宿泊申込メール受信手順
（４）受信した宿泊申込メールから利用者を特定する利用者特定手順
（５）受信した宿泊申込メールに設定されている宛先アドレスのローカル部を読み取り、ローカル部から宿泊する人数及び／又は部屋数を特定する人数・部屋数特定手順
（６）特定された選定宿泊施設の予約を管理する予約管理システムに対して、宿泊する人数及び／又は部屋数を指定して宿泊を予約する宿泊施設予約手順。
【手続補正１９】
【補正対象書類名】明細書
【補正対象項目名】００２４
【補正方法】変更
【補正の内容】
【００２４】
本願発明に係るコンピュータ読み取り可能な記録媒体は、
宿泊申込者携帯端末と接続可能であって、利用者のメールアドレスおよび識別情報を記憶する利用者情報テーブルを有する宿泊予約代行サーバとなるコンピュータに、以下の手順を実行させるためのプログラムを記録したことを特徴とする
（１）前記利用者情報テーブルを参照し、宛先アドレスに、利用者のメールアドレスを設定し、送信者アドレスに、宿泊する人数と部屋数のいずれか一方を含むローカル部と宿泊予約代行サーバを識別するドメインからなるアドレスを設定した宿泊予約用の返信用メールを生成する返信用メール生成手順
（２）生成した返信用メールを送信する返信用メール送信手順
（３）宿泊申込者携帯端末から、返信用メールに対する返信である宿泊申込メールを受信する宿泊申込メール受信手順
（４）受信した宿泊申込メールから利用者を特定する利用者特定手順
（５）受信した宿泊申込メールに設定されている宛先アドレスのローカル部を読み取り、ローカル部から宿泊する人数及び／又は部屋数を特定する人数・部屋数特定手順
（６）特定された選定宿泊施設の予約を管理する予約管理システムに対して、宿泊する人数及び／又は部屋数を指定して宿泊を予約する宿泊施設予約手順。